(57)【特許請求の範囲】
【請求項１】
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記吸収体と前記液不透過性シートとの間に設けられた、尿との接触により変色するインジケータと、を備えたテープタイプ使い捨ておむつにおいて、
前記インジケータと前記吸収体との間に水溶性層が積層された又は水溶性層が積層されていない第一インジケータ領域と、前記インジケータと前記吸収体との間に前記第一インジケータ領域よりも厚い水溶性層が積層された第二インジケータ領域とが、外面に沿う方向に間隔を空けて並設されており、
前記インジケータは、排尿により両領域に尿が供給されてから一定時間以内は第一インジケータ領域のみが当該排尿により変色し、当該排尿から一定時間以上経過してから第二インジケータ領域が変色して、第一インジケータ領域及び第二インジケータ領域の両方が当該排尿により変色した状態となり、前記第一インジケータ領域のみが変色してから前記第二インジケータ領域が変色するまでの時間差により当該排尿後の経過時間が分かるものである、
ことを特徴とする、使い捨ておむつ。
【請求項２】
前記第一インジケータ領域及び第二インジケータ領域の各インジケータは親水性繊維集合シートにインジケータ塗料が塗布されてなり、第一インジケータ領域のインジケータが付着された親水性繊維集合シートと、第二インジケータ領域のインジケータが付着された親水性繊維集合シートとが、外面に沿う方向に離間している、請求項１記載の使い捨ておむつ。
【請求項３】
前記第一インジケータ領域及び第二インジケータ領域は幅方向に並設されている、前記請求項１又は２記載の使い捨ておむつ。
【請求項４】
前記吸収体を有する領域のうち、前後方向中間部に前記第一インジケータ領域が設けられるとともに、その前後両側に前記第二インジケータ領域がそれぞれ設けられている、請求項１〜３のいずれか１項に記載の使い捨ておむつ。
【請求項５】
前記吸収体を有する領域のうち、前後方向中間部に前記第二インジケータ領域が設けられるとともに、その前後両側に前記第一インジケータ領域がそれぞれ設けられている、請求項１〜３のいずれか１項に記載の使い捨ておむつ。
【請求項６】
前記吸収体を有する領域に、前記第一インジケータ領域及び前記第二インジケータ領域が前後方向に交互に設けられている、請求項１〜３のいずれか１項に記載の使い捨ておむつ。
【請求項７】
前記排尿から前記第二インジケータ領域の変色までの時間が印刷により表示されている、請求項１〜６のいずれか１項に記載の使い捨ておむつ。
【請求項８】
前記第一インジケータ領域が前記水溶性層のない領域とされ、前記インジケータと前記吸収体との間に前記第二インジケータ領域よりも厚い水溶性層が積層された第三インジケータ領域が、前記第一インジケータ領域及び第二インジケータ領域に対して外面に沿う方向に間隔を空けて並設されている、請求項１〜７のいずれか１項に記載の使い捨ておむつ。
【請求項９】
前記水溶性層がオブラート又は水溶性インク層により形成されている、請求項１〜８のいずれか１項に記載の使い捨ておむつ。
【発明の詳細な説明】
【技術分野】
【０００１】
本発明は、尿等の排泄の有無を呈色によって外部から視認可能とする排泄インジケータを備えた使い捨ておむつに関するものである。
【背景技術】
【０００２】
現在汎用されている乳幼児用使い捨ておむつの多くは、尿等の排泄の有無を呈色や消色によって外部から視認可能とするインジケータを備えている（例えば特許文献１，２参照）。使用者は、使い捨ておむつを装着した状態で、インジケータの呈色（発色又は変色）や消色を外部から視認することにより、排泄のあったことを認識でき、おむつ交換の目安にすることができるという利点がある。
【０００３】
これら従来の排泄インジケータのうち、変色タイプのインジケータは排泄前後で有色なことに変わりがないため、排泄に気付き難いことが多く、消色タイプのインジケータはインジケータの存在を排泄後までしっかりと覚えている訳ではないので、インジケータが無くなったことを認識できず、排泄に気付き難いことが多い。
【０００４】
これに対して、発色タイプのインジケータは、排泄前は見えていなかったインジケータが排泄により浮き出てくるものであるため、最も気づきやすいタイプである。また、インジケータをキャラクターや動物等のイラストやデザインにすると、当該イラストやデザインの出現により子供の興味を引くことができるため、トイレトレーニングにおいて子供に排尿への関心をもたせるのに非常に役に立つものとなる。
【０００５】
しかし、従来の一般的なインジケータは、排尿後の経過時間が分からないという不便さがあった。例えば、おむつを装着した子供が排尿した直後にその子供を抱き上げた場合など、排尿直後におむつに外圧が加わると、吸収体表面に尿が残っているために漏れに繋がることがあるが、このような漏れは排尿後の経過時間を知ることができれば解決するものである。また、排尿後の経過時間を知ることができればおむつを適切なタイミングで交換することができる。
【０００６】
この問題点に関して、液接触後から色の変化が生じるまでの時間が異なる複数のインジケータを設け、排泄からの経過時間が分かるようにしたもの（特許文献３参照）や、尿の濡れ広がりの程度（尿の吸収量）が連続的な変化としてではなく段階的に表示され、おむつ交換時期が分かるもの（特許文献４参照）も提案されている。
【０００７】
しかし、特許文献３記載のものは色等の変化が混ざるため変化がはっきりし難いという問題点を有している。また、特許文献４記載のものは、尿の濡れ広がりに依存するため、尿吸収量は分かるが、排尿後の経過時間は分からない。
【先行技術文献】
【特許文献】
【０００８】
【特許文献１】実開昭６０−７５４０５号公報
【特許文献２】特開２００８−０９９９４７号公報
【特許文献３】特開２００４−２２２８６８号公報
【特許文献４】特開２０１０−１１９７４５号公報
【発明の概要】
【発明が解決しようとする課題】
【０００９】
そこで、本発明の主たる課題は、排尿後の経過時間が分かり易いインジケータを備えた使い捨ておむつを提供することにある。
【課題を解決するための手段】
【００１０】
上記課題を解決した本発明は次記のとおりである。
＜請求項１記載の発明＞
身体側表面を形成する透液性トップシートと、その裏面側に位置する液不透過性シートと、これら透液性トップシートと液不透過性シートとの間に配置され、幅方向中央に沿って下腹部から股間部を通り臀部まで延在する吸収体と、前記吸収体と前記液不透過性シートとの間に設けられた、尿との接触により変色するインジケータと、を備えたテープタイプ使い捨ておむつにおいて、
前記インジケータと前記吸収体との間に水溶性層が積層された又は水溶性層が積層されていない第一インジケータ領域と、前記インジケータと前記吸収体との間に前記第一インジケータ領域よりも厚い水溶性層が積層された第二インジケータ領域とが、外面に沿う方向に間隔を空けて並設されており、
前記インジケータは、排尿により両領域に尿が供給されてから一定時間以内は第一インジケータ領域のみが当該排尿により変色し、当該排尿から一定時間以上経過してから第二インジケータ領域が変色して、第一インジケータ領域及び第二インジケータ領域の両方が当該排尿により変色した状態となり、前記第一インジケータ領域のみが変色してから前記第二インジケータ領域が変色するまでの時間差により当該排尿後の経過時間が分かるものである、
ことを特徴とする、使い捨ておむつ。
【００１１】
（作用効果）
水溶性層が吸収体とインジケータとの間に設けられていると、吸収体側からインジケータへ向かう尿が水溶性層により遮断され、水溶性層が尿により溶けた後にインジケータが変色（呈色又は消色）する。つまり、水溶性層により変色タイミングを調節することができる。本発明ではこれを利用し、水溶性層の薄い又は無い第一インジケータ領域と、水溶性層の厚い第二インジケータ領域とを設けている。これにより、排尿から一定時間以内であれば第一インジケータ領域のみが変色し、排尿から一定時間以上経過して初めて第一インジケータ領域及び第二インジケータ領域の両方が変色するといったインジケータ機能が実現される。
そして、このように変色の時間差により排尿後の経過時間が分かると、例えば、おむつを装着した子供が排尿直後であるか否かを見分けるのに応用することができ、排尿直後におむつに外圧を加えて漏れを引き起こすといった自体を回避することができる。また、排尿後の経過時間を見分けておむつを適切なタイミングで交換するのにも応用することができる。
しかも、この水溶性層を利用した経時インジケータ機能は、変化が非常にはっきりと起こるため、使用者が判断に迷う恐れが少ないといった利点や、製造が容易で製造コストも嵩まずに済むという利点ももたらすものである。
なお、外面に沿う方向とは前後方向、幅方向、及びこれらと交差する斜め方向を意味する。
【００１２】
＜請求項２記載の発明＞
前記第一インジケータ領域及び第二インジケータ領域の各インジケータは親水性繊維集合シートにインジケータ塗料が塗布されてなり、第一インジケータ領域のインジケータが付着された親水性繊維集合シートと、第二インジケータ領域のインジケータが付着された親水性繊維集合シートとが、外面に沿う方向に離間している、請求項１記載の使い捨ておむつ。
【００１３】
（作用効果）
尿とインジケータとの接触効率を高めること及び製造容易性を考慮すると、インジケータ塗料を親水性の紙や不織布等の親水性繊維集合シートに塗布して形成するのが好ましい。しかし、各領域のインジケータ塗料が、互いに接する又は一体的な親水性繊維集合シートに付着していると、第一インジケータ領域においてインジケータに達した尿が親水性繊維集合シートを通じて第二インジケータ領域に拡散し、第二インジケータ領域の水溶性層がその上から供給される尿により溶解する前に、第二インジケータ領域のインジケータを変色させてしまうおそれがある。
これに対して、上述のように、各領域のインジケータを、互いに離間する親水性繊維集合シートにインジケータ塗料を塗布することにより形成すると、第一インジケータ領域においてインジケータに達した尿は、可能な限り第一インジケータ領域の親水性繊維集合シートに保持され、第二インジケータ領域の親水性繊維集合シートには移らない。よって、各領域のインジケータをより高精度の時間差で変色させることができる。
【００１４】
＜請求項３記載の発明＞
前記第一インジケータ領域及び第二インジケータ領域は幅方向に並設されている、前記請求項１又は２記載の使い捨ておむつ。
【００１５】
（作用効果）
使い捨ておむつにおいては、尿は前後方向よりは幅方向へ拡散し易い。よって、第一インジケータ領域及び第二インジケータ領域を幅方向に並設することにより、両領域にバランス良く尿が供給され、時間差変色の精度がより一層向上するようになる。
【００１６】
＜請求項４記載の発明＞
前記吸収体を有する領域のうち、前後方向中間部に前記第一インジケータ領域が設けられるとともに、その前後両側に前記第二インジケータ領域がそれぞれ設けられている、請求項１〜３のいずれか１項に記載の使い捨ておむつ。
【００１７】
（作用効果）
使い捨ておむつにおいては、尿は前後方向よりは幅方向へ拡散し易い。よって、前後方向中間部に前記第一インジケータ領域が設けられるとともに、その前後両側に前記第二インジケータ領域がそれぞれ設けられていると、水溶性層として溶解の早い素材を用いても、変色までの時間をより長く確保することができる。なお、この形態では、中間部が先に変色し、その後、所定時間経過してから前後両側が変色するようになる。
【００１８】
＜請求項５記載の発明＞
前記吸収体を有する領域のうち、前後方向中間部に前記第二インジケータ領域が設けられるとともに、その前後両側に前記第一インジケータ領域がそれぞれ設けられている、請求項１〜３のいずれか１項に記載の使い捨ておむつ。
【００１９】
（作用効果）
使い捨ておむつにおいては、尿は前後方向よりは幅方向へ拡散し易い。よって、第二インジケータ領域の位置を排尿位置から遠ざけると、場合によっては第二インジケータへの尿の供給が不十分となることもありうる。しかし、上述のように、前後方向中間部に第二インジケータ領域が設けられるとともに、その前後両側に第一インジケータ領域がそれぞれ設けられていると、第二インジケータ領域への尿供給不足は発生し難くなる。なお、この形態では、前後両側が先に変色し、その後、所定時間経過してから中間部が変色するようになる。
【００２０】
＜請求項６記載の発明＞
前記吸収体を有する領域に、前記第一インジケータ領域及び前記第二インジケータ領域が前後方向に交互に設けられている、請求項１〜３のいずれか１項に記載の使い捨ておむつ。
【００２１】
（作用効果）
このように第一インジケータ領域及び第二インジケータ領域の並設部分を前後方向に複数設けることにより、前後方向の排尿位置に関係なく、本発明の時間差変色が可能となる。
【００２２】
＜請求項７記載の発明＞
前記排尿から前記第二インジケータ領域の変色までの時間が印刷により表示されている、請求項１〜６のいずれか１項に記載の使い捨ておむつ。
【００２３】
（作用効果）
このような変色時間表示により、排尿からの経過時間を直ちに知ることができるようになる。
【００２４】
＜請求項８記載の発明＞
前記第一インジケータ領域が前記水溶性層のない領域とされ、前記インジケータと前記吸収体との間に前記第二インジケータ領域よりも厚い水溶性層が積層された第三インジケータ領域が、前記第一インジケータ領域及び第二インジケータ領域に対して外面に沿う方向に間隔を空けて並設されている、請求項１〜７のいずれか１項に記載の使い捨ておむつ。
【００２５】
（作用効果）
このような構成により、所定の時間差で少なくとも三段階の変色を実現することができる。
【００２６】
＜請求項９記載の発明＞
前記水溶性層がオブラート又は水溶性インク層により形成されている、請求項１〜８のいずれか１項に記載の使い捨ておむつ。
【００２７】
（作用効果）
本発明の水溶性層としては、製造容易性、入手容易性、コストの観点からオブラート又は水溶性インク層が好ましい。
【発明の効果】
【００２８】
以上のとおり、本発明によれば、排尿後の経過時間が分かり易いインジケータを備えた使い捨ておむつとなる、等の利点がもたらされる。
【図面の簡単な説明】
【００２９】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】図１の８−８線断面図である。
【図６】図１の９−９線断面図である。
【図７】図１の５−５線断面図である。
【図８】第一インジケータ領域の前後方向に沿う断面図である。
【図９】第二インジケータ領域の前後方向に沿う断面図である。
【図１０】他の形態を示す、変色領域の前後方向に沿う断面図である。
【図１１】他の形態を示す、図１の６−６線断面に相当する断面図である。
【図１２】他の形態を示す、変色領域の前後方向に沿う断面図である。
【図１３】他の形態を示す、変色領域の前後方向に沿う断面図である。
【図１４】他の形態を示す、変色領域の前後方向に沿う断面図である。
【図１５】他の形態を示す、図１の６−６線断面に相当する断面図である。
【図１６】他の形態を示す、図１の６−６線断面に相当する断面図である。
【発明を実施するための形態】
【００３０】
以下、本発明の実施形態について添付図面を参照しつつ説明する。
＜吸収性物品の例＞
図１〜図７はテープタイプ使い捨ておむつの一例を示しており、図中の符号Ｘはファスニングテープを除いたおむつの全幅を示しており、符号Ｌはおむつの全長を示しており、断面図中の点模様部分はホットメルト接着剤の塗布部分を示している。
【００３１】
このテープタイプ使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収要素５０が介在する部分である吸収性本体部１０と、この吸収性本体部１０の前側及び後側にそれぞれ延出する部分であって、且つ吸収要素５０を有しない部分である腹側エンドフラップ部ＥＦ及び背側エンドフラップ部ＥＦとを有するものである。
【００３２】
また、このテープタイプ使い捨ておむつは、吸収体の側縁よりも側方に延出する一対のサイドフラップ部ＳＦ，ＳＦを有しており、背側におけるサイドフラップ部ＳＦ，ＳＦにはファスニングテープ１３がそれぞれ設けられている。
【００３３】
より詳細には、吸収性本体部１０ならびに各サイドフラップ部ＳＦ，ＳＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００３４】
さらに、この吸収性本体部１０の両側には、装着者の肌側に突出（起立）する側部立体ギャザー６０，６０が設けられており、この側部立体ギャザー６０，６０を形成するギャザーシート６２，６２が、トップシート３０の両側部上から各サイドフラップ部ＳＦ，ＳＦの内面までの範囲に固着されている。
【００３５】
以下、各部の素材および特徴部分について順に説明する。
（外装シート）
外装シート１２は吸収要素５０を支持し、着用者に装着するための部分である。外装シート１２は、両側部の前後方向中央部が括れた砂時計形状とされており、ここが着用者の脚を入れる部位となる。
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３６】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００３７】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３８】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００３９】
（側部立体ギャザー）
トップシート３０上を伝わって横方向に移動する尿や軟便を阻止し、横漏れを防止するために、製品の両側に、使用面側に突出（起立）する側部立体ギャザー６０、６０を設けるのは好ましい。
この側部立体ギャザー６０は、実質的に幅方向に連続するギャザーシート６２と、このギャザーシート６２に前後方向に沿って伸張状態で固定された細長状弾性伸縮部材６３とにより構成されている。このギャザーシート６２としては撥水性不織布を用いることができ、また弾性伸縮部材６３としては糸ゴム等を用いることができる。弾性伸縮部材は、図１及び図２に示すように各複数本設ける他、各１本設けることができる。
ギャザーシート６２の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍の幅方向外側において、ギャザーシート６２と外装シート１２とが対向する部分のシート間に、前後方向に沿って糸ゴム等からなる脚周り弾性伸縮部材６４がそれぞれ設けられている。
脚周りにおいては、側部立体ギャザー６０の固着始端より幅方向内側は、製品前後方向両端部ではトップシート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部立体ギャザー６０が起立して脚周りに密着する。その結果、脚周りからのいわゆる横漏れが防止される。
図示形態と異なり、ギャザーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００４０】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００４１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００４２】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００４３】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００４４】
（ファスニングテープ）
図１、図２及び図５に示されるように、ファスニングテープ１３は、不織布、プラスチックフィルム、ポリラミ不織布、紙やこれらの複合素材からなるシート基材の端部がテープ取付部１３Ｃとしておむつに取り付けられており、おむつ側縁から突出する先端側部分であるテープ本体部１３Ｂには腹側に対する係止部１３Ａとして、メカニカルファスナーのフック材が設けられている。ファスニングテープのテープ取付部は、サイドフラップ部における内側層をなすギャザーシート及び外側層をなす外装シート間に挟まれ、かつホットメルト接着剤により両シート６２，１２に接着されている。また、フック材１３Ａはシート基材１３Ｃに接着剤により剥離不能に接合されている。
乳幼児用おむつにおいては、テープ取付部１３Ｃの寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、テープ本体部１３Ｂの寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック材１３Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック材１３Ａに代えて、ファスニングテープ１３の係止部として粘着材層を設けることもできる。
おむつの装着に際しては、背側のサイドフラップ部ＳＦを腹側のサイドフラップ部ＳＦの外側に重ねた状態で、ファスニングテープを腹側Ｆ外面の適所に係止する。ファスニングテープ１３の係止箇所の位置及び寸法は任意に定めることができる。乳幼児用おむつにおいては、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
ファスニングテープ１３は、背側のエンドフラップ部ＥＦと吸収要素５０の境界線上にファスニングテープ１３のテープ取付部１３Ｃが重なるように取り付けられていると、おむつ装着時に左右のファスニングテープ１３の取り付け部分間に働く張力により、吸収要素５０の背側端部がしっかりと体に押し当てられるため、好ましい。また、ファスニングテープ１３の取り付け部分が、おむつの背側端部（後端部）と離れすぎていると、おむつ装着時に左右のファスニングテープ１３のテープ取付部１３Ｃ間に働く張力がおむつの背側端部にまで及ばないため、おむつの背側端部と身体表面との間に隙間が生じやすい。従って、背側のエンドフラップ部ＥＦの前後方向長さは、ファスニングテープ１３のテープ取付部１３Ｃの前後方向長さと同じか又は短いことが好ましい。
【００４５】
（ターゲットシート）
腹側Ｆにおけるファスニングテープ１３の係止箇所には、係止を容易にするためのターゲット有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。  また、腹側Ｆにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート１２Ｔを省略し、フック材１３Ａを外装シート１２の不織布に絡ませて係止することもできる。この場合、ターゲットシート１２Ｔを外装シート１２と液不透過性シート１１との間に設けてもよい。
【００４６】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＥＦであり、後側の延出部分が背側エンドフラップ部ＥＦである。
背側エンドフラップＥＦの前後方向長さは、前述の理由によりファスニングテープ１３の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
腹側エンドフラップ部ＥＦ及び背側エンドフラップ部ＥＦの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００４７】
（背側伸縮シート）
図示形態では、両ファスニングテープ１３間に、幅方向に弾性伸縮する帯状の背側伸縮シート７０が設けられ、おむつ背側部におけるフィット性を向上させている。背側伸縮シート７０の両端部は両ファスニングテープ１３の取り付け部分と重なる部位まで延在されているのが好ましいが、幅方向中央側に離間していても良い。背側伸縮シート７０の前後方向寸法は、ファスニングテープ１３の取り付け部分の前後方向寸法と概ね同じにするのが適当であるが、±２０％程度の寸法差はあってもよい。また、図示のように背側伸縮シート７０が背側エンドフラップ部ＥＦと吸収要素５０の境界線と重なるように配置されていると、吸収要素５０の背側端部がしっかりと体に押し当てられるため、好ましい。背側伸縮シート７０は、ゴムシート等のシート状弾性部材を用いても良いが、通気性の観点から不織布や紙を用いるのが好ましい。この場合、伸縮不織布のような通気性を有するシート状弾性部材を用いることもできるが、図５に示すように、二枚の不織布等のシート基材７１をホットメルト接着剤等の接着剤により張り合わせるとともに、両シート基材７１間に有孔のシート状、網状、細長状（糸状又は紐状等）等の弾性伸縮部材７２を幅方向に沿って伸張した状態で固定したものが好適に用いられる。この場合におけるシート基材７１としては、外装シート１２と同様のものを用いることができる。弾性伸縮部材７２の伸張率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
【００４８】
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
【００４９】
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
【００５０】
背側伸縮シート７０は、図示形態では、液不透過性シート１１の幅方向両側ではギャザーシート６２と外装シート１２との間に挟まれ、且つ液不透過性シート１１と重なる部位では、液不透過性シート１１と吸収要素５０との間に挟まれるように設けられているが、液不透過性シート１１と外装シート１２との間に設けても良いし、外装シート１２の外面に設けても良く、またトップシート３０と吸収要素５０との間に設けてもよい。また、背側伸縮シート７０はトップシート３０の上に設けても良く、この場合、液不透過性シート１１の幅方向両側ではギャザーシート６２の上に設けても良い。また、外装シート１２を複数枚のシート基材を重ねて形成する場合には、背側伸縮シート７０全体を、外装シート１２のシート基材間に設けても良い。
【００５１】
（インジケータ）
図１〜３、図１０〜１６に示すように、吸収体５６（図示例では吸収要素５０）と液不透過性シート１１との間には、尿との接触により変色するインジケータ８０が設けられており、特徴的には、インジケータ８０と吸収体５６との間に水溶性層８５が積層された又は水溶性層８５が積層されていない第一インジケータ領域９１と、インジケータ８０と吸収体５６との間に第一インジケータ領域９１よりも厚い水溶性層８５が積層された第二インジケータ領域９２とが、外面に沿う方向に間隔を空けて並設されている。
【００５２】
水溶性層８５が吸収体５６とインジケータ８０との間に設けられていると、吸収体５６側からインジケータ８０へ向かう尿が水溶性層８５により遮断され、水溶性層８５が尿により溶けた後にインジケータ８０が変色（呈色又は消色）する。つまり、水溶性層８５により変色タイミングを調節することができる。本発明ではこれを利用し、水溶性層８５の薄い又は無い第一インジケータ領域９１と、水溶性層８５の厚い第二インジケータ領域９２とを設けている。これにより、排尿から一定時間以内であれば第一インジケータ領域９１のみが変色し、排尿から一定時間以上経過して初めて第一インジケータ領域９１及び第二インジケータ領域９２の両方が変色するといったインジケータ機能が実現される。そして、このように変色の時間差により排尿後の経過時間が分かると、例えば、おむつを装着した子供が排尿直後であるか否かを見分けるのに応用することができ、排尿直後におむつに外圧を加えて漏れを引き起こすといった自体を回避することができる。また、排尿後の経過時間を見分けておむつを適切なタイミングで交換するのにも応用することができる。しかも、この水溶性層８５を利用した経時インジケータ機能は、変化が非常にはっきりと起こるため、使用者が判断に迷う恐れが少ないといった利点や、製造が容易で製造コストも嵩まずに済むという利点ももたらすものである。
【００５３】
変色の時間差は適宜定めることができるが、通常の場合１０秒〜１０時間の範囲内で適宜設定するのが望ましい。変色の時間差は水溶性層の厚みを変更することにより調整することができる。
【００５４】
本発明の水溶性層８５としては、製造容易性、入手容易性、コストの観点からオブラート又は水溶性インク層が好ましい。これらは、水溶性層の厚み（遮断時間、つまり尿により溶解して尿を通過させるようになるまでの時間と相関する）を調節するために、図示形態のように溶解層を複数積層するか、又は一の厚みを調整することができる。オブラートを用いる場合、厚み２０〜４０μｍ程度のものを好適に用いることができる。また、複数の溶解層を積層する場合、溶解速度の同じ層（例えば厚みや素材等が同じ）を積層する他、厚みや素材等により溶解速度の異なる層を積層することもできる。
【００５５】
インジケータ８０は、図３に示す例等では、インジケータ塗料８２をクレープ紙や不織布等の親水性繊維集合シート８１に塗布することにより形成しているが、他のシート、例えば図１５に示すように包装シート５８や水溶性層８５に塗布したり、図１６に示すように液不透過性シート１１に塗布したりすることにより形成することもできる。
【００５６】
インジケータ塗料８２は、体液などの水分との接触により呈色反応を示すような着色剤及び／又は水分中のｐＨを検知して呈色反応を示すような着色剤、或いは体液との反応により着色が消失する反応、着色剤が尿により溶解（分散）して滲んだり消失したりする反応、その他の視覚的変化を示す薬剤が含有されたインク、或いは水分又は体液との接触により視覚的変化を示す薬剤を含有するものであり、適宜の溶剤や接着剤（ホットメルト接着剤等）に混合した状態で、付与対象に塗布することにより用いることができる。例えば、尿などの水分との接触により呈色反応を示すような着色剤として、水溶性、水分解性染料又はロイコ染料と該ロイコ染料を発色させるフェノール性化合物、酸性物質、電子受容性物質等の顕色剤とからなる着色剤を使用することが可能である。呈色により現れる色は特に限定されないが、おむつ外面と同じ色（通常は白色）であると紛れて見え難くなるため、おむつ外面と異なる色に呈色するものが好適である。インジケータ塗料８２の塗布パターンは特に限定されず、図示例のような複数の筋状に塗布する他、面状、帯状等に塗布することができる。
【００５７】
インジケータ８０を周囲部材に固定するためにホットメルト接着剤を塗布する場合、インジケータ８０の上面は周囲のみ又はスパイラルパターン等の間欠的なパターンでホットメルト接着剤を塗布して、非接着部分により吸収体５６側からの尿の供給を促進させるのが好ましい。一方、インジケータ８０の下面はインジケータ８０の変色が液不透過性シート１１及び外装シート１２を通して外部に良く見えるように、ホットメルト接着剤をベタ塗りして液不透過性シート１１に密着させることが望ましい。
【００５８】
尿とインジケータ８０との接触効率を高めること及び製造容易性を考慮すると、図示形態のように、インジケータ塗料８２を親水性の紙や不織布等の親水性繊維集合シート８１に塗布して形成するのが好ましい。しかし、各領域９１〜９３のインジケータ塗料８２が、互いに接する又は一体的な親水性繊維集合シート８１に付着していると、第一インジケータ領域９１においてインジケータ８０に達した尿が親水性繊維集合シート８１を通じて第二インジケータ領域９２に拡散し、第二インジケータ領域９２の水溶性層８５がその上から供給される尿により溶解する前に、第二インジケータ領域９２のインジケータ８０を変色させてしまうおそれがある。これに対して、図示形態のように、第一インジケータ領域９１のインジケータ８０が付着された親水性繊維集合シート８１と、第二インジケータ領域９２のインジケータ８０が付着された親水性繊維集合シート８１とが、外面に沿う方向に離間していると、第一インジケータ領域９１においてインジケータ８０に達した尿は、可能な限り第一インジケータ領域９１の親水性繊維集合シート８１に保持され、第二インジケータ領域９２の親水性繊維集合シート８１には移らない。よって、各領域９１〜９３のインジケータ８０をより高精度の時間差で変色させることができる。
【００５９】
インジケータ８０は、所望の領域に設けることができるが、図示形態のように吸収体５６と重なる領域内に設けるのが好ましい。以下、各種の配置形態について順に説明する。
（第１形態）
図１〜３、図８及び図９に示される形態では、第一インジケータ領域９１及び第二インジケータ領域９２はそれぞれ前後方向に沿って細長状に設けられており、かつ互いに幅方向に平行に並設されている。使い捨ておむつでは、尿は前後方向よりは幅方向へ拡散し易いため、このように第一インジケータ領域９１及び第二インジケータ領域９２を幅方向に並設することにより、両領域にバランス良く尿が供給され、時間差変色の精度がより一層向上するようになる。
図示しないが、インジケータ８０と吸収体５６との間に第二インジケータ領域９２よりも厚い水溶性層８５が積層された第三インジケータ領域を、更に幅方向に並設することができる。第三インジケータ領域の位置は適宜定めることができるが、変色時間の順で並設するのが好ましい（他の形態も同様）。
【００６０】
（第２形態）
図１０に示されるように、吸収体５６を有する領域のうち、前後方向中間部に第一インジケータ領域９１が設けられるとともに、その前後両側に第二インジケータ領域９２がそれぞれ設けられていると、尿は前後方向よりは幅方向へ拡散し易いため、水溶性層８５として溶解の早い素材を用いても、変色までの時間をより長く確保することができる。この形態では、中間部が先に変色し、その後、所定時間経過してから前後両側が変色するようになる。なお、この形態は、図１１に示されるように第一インジケータ領域９１及び第二インジケータ領域９２をおむつの幅方向中央部にのみ設ける他、第１形態における第二インジケータ領域９２に代えて、図１０に示される第一インジケータ領域９１及び第二インジケータ領域９２をそれぞれ第二インジケータ領域及び第三インジケータ領域として適用することができる。後者における第三インジケータ領域は、インジケータ８０と吸収体５６との間に第二インジケータ領域９２よりも厚い水溶性層８５が積層されたものである。これにより、第一インジケータ領域９１、第二インジケータ領域９２、及び第三インジケータ領域の順に、所定の時間間隔を空けて変色が発現するようになる。
【００６１】
（第３形態）
図１２に示すように、第一インジケータ領域９１、第二インジケータ領域９２、及び第三インジケータ領域９３を、前後方向に並設することもできる。図示形態では、吸収体５６を有する領域のうち、前後方向中間部に第一インジケータ領域９１を設け、その前後両側に第二インジケータ領域９２を設け、さらにその前後両側に第三インジケータ領域９３を設けており、前後方向中間部から前後両側に向かって変色が順次開始されるようになっている。図示しないが、第一インジケータ領域９１から第三インジケータ領域９３までを、変色時間の順で前若しくは後ろから順に並設することもできる。
【００６２】
（第４形態）
図１３に示すように、第２の形態と反対に、吸収体５６を有する領域のうち、前後方向中間部に第二インジケータ領域９２を設け、その前後両側に第一インジケータ領域９１をそれぞれ設けることもできる。使い捨ておむつにおいては、尿は前後方向よりは幅方向へ拡散し易い。よって、第二インジケータ領域９２の位置を排尿位置から遠ざけると、場合によっては第二インジケータ８０への尿の供給が不十分となることもありうる。しかし、本第４形態のように、前後方向中間部に第二インジケータ領域９２が設けられるとともに、その前後両側に第一インジケータ領域９１がそれぞれ設けられていると、第二インジケータ領域９２への尿供給不足は発生し難くなる。なお、この形態では、前後両側が先に変色し、その後、所定時間経過してから中間部が変色するようになる。本第４形態においても、第３形態に倣って第三インジケータ領域を追加することができる（図示略）。
【００６３】
（第５形態）
第一インジケータ領域９１及び第二インジケータ領域９２は、それぞれ一つだけ又は複数でも近傍に設けられていると、排尿位置によっては時間差変色が機能しない可能性がある。そこで、図１５に示すように、吸収体５６を有する領域に、第一インジケータ領域９１及び第二インジケータ領域９２を前後方向に交互に設けるのも好ましい形態の一つである。これにより、前後方向の排尿位置に関係なく、本発明の時間差変色が可能となる。本第５形態においても、第３形態に倣って第三インジケータ領域を追加することができる（図示略）。
【００６４】
（各領域等の寸法）
各領域９１〜９３の寸法及び各領域９１〜９３間の間隔は適宜定めることができるが、通常の場合、各領域９１〜９３の幅は１〜３ｃｍ程度とすることができ、各領域９１〜９３の長さはおむつ全長Ｌの４０〜７０％程度とすることができ、各領域９１〜９３間の間隔は１０〜３０ｍｍ程度とすることができる。
【００６５】
＜その他＞
（イ）第二インジケータ領域９２の変色までの時間や、第三インジケータ領域９３の変色までの時間を、例えば液不透過性シート１１や外装シート１２に印刷により表示するのも好ましい形態である。使用者は、この変色時間表示を外面から視認することにより、排尿からの経過時間を直ちに知ることができるようになる。
（ロ）水溶性層８５を形成するオブラートやインク層は、図示形態のように領域間に跨って連続していても良く、また、領域毎に独立していても良い。
【００６６】
＜用語の説明＞
用語「前後方向（縦方向）」とは腹側（前側）と背側（後側）を結ぶ方向を意味し、「幅方向」とは前後方向と直交する方向（左右方向）を意味し、「上下方向」とはおむつの装着状態、すなわちおむつの腹側部分と背側部分を重ね合わせるようにおむつを股間部で２つに折った際に幅方向と直交する方向を意味する。
また、用語「伸長率」は自然長を１００％としたときの値を意味する。
【産業上の利用可能性】
【００６７】
本発明は、上記例のようなテープタイプ使い捨ておむつの他、パンツタイプ、パッドタイプ等、使い捨ておむつ全般に利用可能なものである。
【符号の説明】
【００６８】
１１…液不透過性シート、１２…外装シート、１３…ファスニングテープ、１３Ａ…係止部、１３Ｂ…テープ本体部、１３Ｃ…テープ取付部、３０…トップシート、４０…中間シート、５０…吸収要素、５６…吸収体、５８…包装シート、６０…側部立体ギャザー、６２…ギャザーシート、７０…背側伸縮シート、１２Ｔ…ターゲットシート、８０…インジケータ、８１…親水性繊維集合シート、８２…インジケータ塗料、８５…水溶性層、９１…第一インジケータ領域、９２…第二インジケータ領域、９３…第三インジケータ領域。
【図１】
0006016206.tif 000002
【図２】
0006016206.tif 000003
【図３】
0006016206.tif 000004
【図４】
0006016206.tif 000005
【図５】
0006016206.tif 000006
【図６】
0006016206.tif 000007
【図７】
0006016206.tif 000008
【図８】
0006016206.tif 000009
【図９】
0006016206.tif 000010
【図１０】
0006016206.tif 000011
【図１１】
0006016206.tif 000012
【図１２】
0006016206.tif 000013
【図１３】
0006016206.tif 000014
【図１４】
0006016206.tif 000015
【図１５】
0006016206.tif 000016
【図１６】
0006016206.tif 000017